(57)【要約】      （修正有）【課題】水分が付着したペットを素早く包み込んで室内を汚さないようにし、またペットを不安にさせずに確実に水分を拭き取ることができる拭き取り用具を提供する。【解決手段】水分を拭き取ることができる素材によって筒状に形成された本体部３１が設けられ、本体部３１の一端側３１ａには、本体部３１の径と同径の開口部が設けられ、本体部３１の他端側３１ｂには、ペットの頭部を挿通させるために本体部３１の径よりも小径に形成された頭部挿通口３６が設けられている。【選択図】図２
2010239929.tif 000002
【特許請求の範囲】
【請求項１】
水分を拭き取ることができる素材によって筒状に形成された本体部が設けられ、
本体部の一端側には、本体部の径と同径の開口部が設けられ、
本体部の他端側には、ペットの頭部を挿通させるために本体部の径よりも小径に形成された頭部挿通口が設けられていることを特徴とするペット用の拭き取り用具。
【請求項２】
前記本体部の他端側の上端部には、前記頭部挿通口から突出したペットの頭部の上面に位置し、ペットの頭部を拭き取るための頭部拭き取り部が設けられていることを特徴とする請求項１記載のペット用の拭き取り具。
【請求項３】
前記頭部拭き取り部は、ペットの頭部の両側面まで垂れ下がる長さの２つの側面部が形成されており、各側面部には、手を挿入可能な挿入ポケット部が設けられていることを特徴とする請求項２記載のペット用の拭き取り用具。
【請求項４】
前記頭部挿通口の径を調整可能となるように、前記頭部挿通口の端縁を絞るための緊締手段が設けられていることを特徴とする請求項１〜請求項３のうちのいずれか１項記載のペット用の拭き取り用具。
【請求項５】
前記緊締手段には、前記頭部挿通口の径が所定の径未満とならないように、所定の位置で絞りを停止させるための絞り停止部が設けられていることを特徴とする請求項４記載のペット用の拭き取り用具。
【請求項６】
前記開口部を閉塞するように、前記開口部の端縁を絞るための第２の緊締手段が設けられていることを特徴とする請求項１〜請求項５のうちのいずれか１項記載のペット用の拭き取り用具。
【発明の詳細な説明】
【技術分野】
【０００１】
本発明は、濡れたペットの水分の拭き取りに用いる用具に関する。
【背景技術】
【０００２】
ペットを洗ったり、入浴させたり、水遊びをさせたり、雨に濡れたりした場合は、ペットの毛に水が付着しているので、これをいかに拭き取るかがペットを飼う者にとって大きな課題となっている。
単に大きなバスタオルなどでペットを包んで拭き取ろうとしても、ペットを包むのに手間がかかるので、ペットが暴れたり、ペット自身が水を払おうとして身震いする。ペットが身震いすれば、水が飛び散るだけでなく、体毛も飛び散る。飛び散った水分や体毛は、室内の壁や天井にまで届いてしまい、部屋中が汚れてしまう。また、足の部分からも水が床にしたたり落ちる。特に、雨の日の散歩や、水遊びなど、泥汚れが混じる場合には、さらに室内の汚れがひどい状態となる。
【０００３】
そこで、従来より様々な拭き取り用具が提案されている。
例えば、特許文献１には、入浴後のペット全体を収納できる袋が開示されている。この袋の内側は吸水性の部材で形成されており、入り口を閉じてペットを収納することによって、ペットの水分が袋内で拭き取れるとしている。
【０００４】
また、特許文献２には、タオル素材を筒状に形成して、粗拭き室、仕上げ室、乾燥室の３つを連続して形成させたものが開示されている。
このような構成によれば、ペットを順番に各室へ入れて拭き取ることによって水分を周囲に飛散させることなく拭き取ることができる。
【０００５】
また、特許文献３には、ペットの頭部を挿通させる挿通孔を設けたタオルが開示されている。このようなタオルを使用する際には、まず挿通孔に入浴後のペットの頭部を挿通させ、頭部を本体部から外部に露出させた状態で本体部をペットの背中から両側に垂下させる。この状態でタオルの本体部をペットの体に擦りつけてペットに付着した水を拭き取る。
【先行技術文献】
【特許文献】
【０００６】
【特許文献１】特開２００３−３０４７６８号公報
【特許文献２】特開平８−３３１９９３号公報
【特許文献３】実用新案登録第３１１６１１０号公報
【発明の概要】
【発明が解決しようとする課題】
【０００７】
上述した特許文献１のような構成では、袋の入り口からペットを入れなくてはならないので、ペットを持ち上げる必要がある。このため、大きいペットではその持ち上げが困難であるとともに、持ち上げ時にペットから水分が飛散してしまうという課題がある。
また、袋には覗き窓が設けられてはいるが、ペットを完全に袋内に収納してしまうとペットが不安になって暴れ出してしまうというおそれもある。
【０００８】
なお、特許文献２のような構成では、複数の部屋が設けられている筒状のタオルであるから、その全長はペットの身長よりも遙かに長いものとなる。このようなタオル内にはペットはなかなか入ろうとしないため、ペットを筒状内に入れる作業が大変であるという課題がある。また、特許文献１と同様に、ペットを完全に筒状内に収納してしまうとペットが不安になって暴れ出してしまうというおそれもある。さらに、このような長いタオルを筒状に形成した場合、その筒状の形状を維持するためには、ペットの体を拭き取っていく人以外にタオルを持つ人が必要である。このように、特許文献２ではペットを洗う人以外にも少なくとも２人の人手が必要になってしまうという課題もある。
【０００９】
さらに、特許文献３に記載されているようなタオルでは、ペットの頭部が出ているのでペットは安心し、暴れるようなことはない。しかしながら、ペットの背中はタオルで覆ってもペットの腹と脚は露出しているので、ペットに付着した水がしたたり落ちるか、またはペットの身震いで水が飛散してしまうという課題がある。
【００１０】
そこで、本発明は上記課題を解決すべくなされ、水分が付着したペットを素早く包み込んで室内を汚さないようにし、またペットを不安にさせずに確実に水分を拭き取ることができる拭き取り用具を提供することにある。
【課題を解決するための手段】
【００１１】
本発明は上記目的を達成するため次の構成を備える。
すなわち、本発明にかかるペット用拭き取り用具によれば、水分を拭き取ることができる素材によって筒状に形成された本体部が設けられ、本体部の一端側には、本体部の径と同径の開口部が設けられ、本体部の他端側には、ペットの頭部を挿通させるために本体部の径よりも小径に形成された頭部挿通口が設けられていることを特徴としている。
この構成を採用することによって、入浴後等で水分が付着したペットを本体部の開口部から入れる。そして、すぐに頭部挿通口からペットの頭部を出す。このため、ペットは不安にならずに安心した状態となる。そして、ペットの身体全体が素早く包み込まれるので、水や体毛が飛び散らせないようにすることができる。
【００１２】
また、前記本体部の他端側の上端部には、前記頭部挿通口から突出したペットの頭部の上面に位置し、ペットの頭部を拭き取るための頭部拭き取り部が設けられていることを特徴としてもよい。
この構成によれば、本体部の外部に突出しているペットの頭部も確実に拭き取ることができる。また、頭部拭き取り部は、筒状には形成されておらず、ペットの頭部の上方からペットの頭部に被せて用いられるので、ペットがいやがることが無く、確実に頭部の拭き取りができる。
【００１３】
さらに、前記頭部拭き取り部は、ペットの頭部の両側面まで垂れ下がる長さの２つの側面部が形成されており、各側面部には、手を挿入可能な挿入ポケット部が設けられていることを特徴としてもよい。
この構成によれば、ペットの頭部や両耳の水分を効率よく拭き取ることができる。
【００１４】
さらに、前記頭部挿通口の径を調整可能となるように、前記頭部挿通口の端縁を絞るための緊締手段が設けられていることを特徴としてもよい。
この構成によれば、緊締手段でペットの首の部分を締めることにより頭部挿通口からペットの身体が抜け出ないようにすることができる。
【００１５】
さらに、前記緊締手段には、前記頭部挿通口の径が所定の径未満とならないように、所定の位置で絞りを停止させるための絞り停止部が設けられていることを特徴としてもよい。
この構成によれば、緊締手段で締めつけすぎてペットを窒息させないようにすることができる。
【００１６】
なお、前記開口部を閉塞するように、前記開口部の端縁を絞るための第２の緊締手段が設けられていることを特徴としてもよい。
この構成によれば、ペットを開口部から入れて、頭部を頭部挿通口から出した後、迅速に第２の緊締手段を絞って開口部を閉塞することができる。このため、ペットの尻部や尻尾を本体部内に迅速に収納し、水や体毛の飛散を確実に防止できる。
【発明の効果】
【００１７】
本発明のペット用の拭き取り用具によれば、迅速且つ容易にペットを包み込むことができるので水分や体毛の飛散を防止でき、さらにペットを不安にさせないので確実に水分を拭き取れる。
【図面の簡単な説明】
【００１８】
【図１】本実施形態の拭き取り用具を斜め後方側からみた斜視図である。
【図２】拭き取り用具を斜め前方側からみた斜視図である。
【図３】拭き取り用具を上方からみた平面図である。
【図４】挿入ポケット部に手を挿入したところを示す説明図である。
【図５】拭き取り用具の展開図である。
【図６】頭部挿通口の緊締手段を示す説明図である。
【図７】ペットを入れて拭き取るところを示した説明図である。
【発明を実施するための形態】
【００１９】
以下、本発明に係る拭き取り用具の好適な実施の形態を添付図面に基づいて詳細に説明する。
図１は、本実施形態の拭き取り用具を斜め後方側から見た斜視図であり、図２は、拭き取り用具にペットをいれた場合に斜め前方から見た斜視図である。また、図３は拭き取り用具の平面図である。
【００２０】
本実施形態の拭き取り用具は、吸水性のよい速乾性のタオル素材を用いて形成するとよい。
拭き取り用具３０は、筒状の本体部３１と、頭部拭き取り部３２とを備えている。
本体部３１は、筒状に形成されており、その一端部３１ａ（ペットを進入させる側：後方側）は筒状の径と同径に形成された開口部３４が形成されている。
また、本体部３１の筒状の他端部３１ｂ（ペットの頭部が位置する側：前方側）は、筒状の径よりも小径であって、ペットの頭部のみが本体部３１から外部へ突出するようにペットの頭部を挿通させる頭部挿通口３６が形成されている。
【００２１】
筒状の本体部３１には、ペットの脚を含めてペットの身体全体が収納される。このため、水分の飛散を防止することができる。そして、頭部挿通口３６から頭部だけは本体部３１の外部へ突出させることができるので、ペットは安心し、落ち着いた状態で水分を拭き取られる。このように本体部３１の全長は、少なくともペットの頭部を除く身体部分の全長と同じ程度の長さが必要である。ただし、本体部３１の全長が長すぎると、ペットを本体部３１内に進入させにくくなるし、また本体部３１の全長が短すぎてもペットの身体がはみ出してしまう。
【００２２】
また、頭部拭き取り部３２は、頭部挿通口３６から突出したペットの頭部の上方に位置し、頭部挿通口３６から突出したペットの頭部の水分を拭き取るために設けられている。
頭部拭き取り部３２は、頭部挿通口３６の端縁の上面側に取り付けられている。この取り付けは、縫い付け等によって行われている。
【００２３】
また、頭部拭き取り部３２は、ペットの頭部の両側面に垂れ下がるように、頭部挿通口３６の端縁の上面側に取り付けられた部位から下方に向けて延びる２つの側面部３７が形成されている。両側面部３７は、本体部３１に対しては取り付けられておらず、本体部３１に対してフリーに動かすことができる。
【００２４】
図４に示すように、頭部拭き取り部３２の両側面部３７には、ペットの頭部を拭き取る際に、拭き取る者の手を挿入できる挿入ポケット部４０が設けられている。
挿入ポケット部４０は、頭部拭き取り部３２の両側面部３７の表面に、手が挿入できる程度の大きさの別布をあて、手が挿入される上方のみを残して周囲を縫い合わせることによって形成される。
【００２５】
なお、頭部拭き取り部３２は、本体部３１に対して折り返すことができる。つまり、図１に示した状態では、頭部拭き取り部３２は、本体部３１の外方に突出してペットの頭部の上方に位置するようになるが、折り返すことで図２に示すように本体部３１の上面に載置されるような状態にもなる。
このようにして、頭部拭き取り部３２によってペットの頭部を拭き取った後は、頭部拭き取り部３２を頭部挿通口３６の端縁の上面側に取り付けられている部位で折り返すことで、頭部拭き取り部３２をペットの頭部の上方から移動させることができ、邪魔にならないようにすることができる。
【００２６】
なお、本実施形態の拭き取り用具を製造するための、素材の展開図を図５に示す。
これによると、タオル素材等の素材をほぼ長方形状に裁断して本体部３１となるべき素材４１をとる。
そして、頭部拭き取り部３２となるべき部位を長円形状に裁断して長円形状の素材４２をとり、長方形状の素材４１の長辺に対して、長円の長辺を縫い付ける。縫い付けは素材４２の長辺全体ではなく、一部分縫い付けてあればよい。
【００２７】
なお、挿入ポケット部４０は、手の挿入側が直線となった卵状となるように素材を裁断し、長円形の素材４２の両側付近に縫い付ける。縫い付けは、手の挿入側である直線部分を縫わずにその周囲の曲線部分のみを縫い付けている。
【００２８】
また、本実施形態の本体部３１となるべき素材４１は、本体部３１を形成したときに頭部挿通口３６の下方に位置し、本体部３１に入っているペットの胴体や脚が外に出ないように閉塞するマチ部４４が形成されている。
ただし、本体部３１としては、このようなマチ部４４を形成せずに、長方形状の短辺どうしを縫い合わせ、頭部挿通口３６の下方側も長方形状の長辺の一部どうしを縫い合わせて形成してもよい。
【００２９】
また、本体部３１の開口部３４と頭部挿通口３６には、その開口径を調整することができるように緊締手段が設けられている。
各緊締手段は、開口部３４の全周囲を袋状に形成した部位に挿入された紐４８と、頭部挿通口３６の全周囲を袋状に形成した部位に挿入された紐５０である。
【００３０】
紐４８の両端部はストッパー５２に挿通されており、ストッパー５２の位置によって、紐４８を絞った位置が決定される。
なお、開口部３４は、紐４８を絞ることによって、開口部３４全体を閉じて、ペットが本体部３１から出ないようにすることができる。
【００３１】
紐５０の両端部もストッパー５４に挿通されている。ストッパー５４の位置によって、紐５０を絞った位置が決定される。
なお、図６に示すように、頭部挿通口３６には、開口径が所定の径未満とならないように紐５０を引っ張った際に、所定位置からは紐が動かないようにした絞り停止部５６が設けられている。
【００３２】
図６に示す例では、頭部挿通口３６の周囲に配置された紐５０は、所定の位置２箇所で本体部３１に対して縫い付けられている。この縫い付けられた箇所が絞り停止部５６である。
したがって、紐５０は、紐５０の両端部が配置されている方向に対して引っ張った際に、縫い付けられた位置に対して紐５０の両端部方向に位置する部分（図６の上部側）の径は縮径可能であるが、縫い付けられた部分で閉じた側（図６の下部側）については、紐５０は動作せず縮径不可である。
【００３３】
このような構成によれば、紐５０を所定の２カ所で本体部３１に縫い付けてしまうことにより、紐５０をいくら引っ張っても頭部挿通口３６の径が所定の径未満になることを防ぎ、ペットの首が絞まりすぎて窒息させてしまうことを防止できる。
【００３４】
図７に、ペットを本実施形態の拭き取り用具の本体部内に入れたところを示し、これに基づいて拭き取り作業の一例を説明する。
まず、ペットの入浴（洗い）が終了したら、作業者は、筒状の本体部３１の開口部３４の周囲を持ち、ペットの頭へ本体部３１を被せるようにして開口部３４からペットを進入させる。
【００３５】
そして、ペットの頭部を頭部挿通口３６へ挿通させ、ペットの頭部を本体部３１の外部に突出させる。このとき、ペットの頭部が本体部３１内に戻ってしまわないように、紐５０を絞って頭部挿通口３６の径を小さくしてもよい。さらに、ペットが開口部３４から出てしまわないように、紐４８を絞って開口部３４の径を小さくしてもよい。
【００３６】
ペットの頭部の拭き取りは、頭部拭き取り部３２の挿入ポケット部４０に手を挿入して行う。特にペットの耳は拭き残しが出やすい部分であるが、挿入ポケット部４０に手を入れて拭き取りを行うので、確実に拭き取りが行える。
また、頭部の拭き取りが終了したら、頭部拭き取り部３２は、折り返して本体部３１の上面に載置すれば、邪魔にならないので便利である。
【００３７】
また、ペットの身体の拭き取りは、本体部３１を持って、内部にあるペットの身体を拭き取るようにすればよい。
【００３８】
なお、ペットの種類や大きさによって、本体部や頭部挿通口をどの程度の大きさにすればよいかは異なる。
そこで、本体部の大きさや頭部挿通口を変更して複数のサイズを作成しておき、お客様のペットのサイズに応じて適したサイズの拭き取り用具を提供するようにすればよい。
【００３９】
なお、上述してきた実施形態では、ペットの例として犬を図示していた。しかし、ペットとしては、犬には限定されず、猫であっても他の動物であってもよい。
【００４０】
以上、本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００４１】
３０  拭き取り用具
３１  本体部
３２  頭部拭き取り部
３４  開口部
３６  頭部挿通口
３７  側面部
４０  挿入ポケット部
４１，４２  素材
４４  マチ部
４８，５０  紐
５２，５４  ストッパー
５６  絞り停止部
【図１】
2010239929.tif 000003
【図２】
2010239929.tif 000004
【図３】
2010239929.tif 000005
【図４】
2010239929.tif 000006
【図５】
2010239929.tif 000007
【図６】
2010239929.tif 000008
【図７】
2010239929.tif 000009